【手続補正書】
【提出日】平成15年9月12日(2003.9.12)
【手続補正１】
【補正対象書類名】明細書
【補正対象項目名】発明の名称
【補正方法】変更
【補正の内容】
【発明の名称】音声伝送装置および音声伝送方法


【手続補正２】
【補正対象書類名】明細書
【補正対象項目名】特許請求の範囲
【補正方法】変更
【補正の内容】
【特許請求の範囲】
【請求項１】
ネットワーク上を伝送されてくるパケット化された音声データを受信する受信手段と、
前記受信手段で受信されたパケット化された音声データを符号化されたデジタル音声データ列に変換するパケット・デ・アセンブラ手段と、
前記パケット・デ・アセンブラ手段からの前記符号化されたデジタル音声データ列を一時的に記憶する記憶手段と、
前記記憶手段に記憶されている前記符号化されたデジタル音声データ列のデータ量を検知するデータ量検知手段と、
前記データ量検知手段で検知された前記データ量と、予め設定された閾値データ量とを比較し、その比較結果に応じた制御信号を出力するデータ制御手段と、
前記データ制御手段からの前記制御信号により、前記データ量検知手段で検知された前記データ量が前記閾値データ量よりも大きいときには、前記記憶手段からの前記音声データを順次に出力データとし、前記データ量検知手段で検知された前記データ量が前記閾値データ量以下となったときには、前記記憶手段からの前記音声データ中に、前記記憶手段から読み出された音声データを用いて生成した符号化された音声データを挿入して、出力データとするデータ補償手段と、
前記データ補償手段からの出力音声データを復号化する音声復号化手段と、
を備えることを特徴とする音声伝送装置。
【請求項２】
アナログ音声信号をデジタル音声データ系列に変換する音声符号化手段と、
前記音声符号化手段により符号化された音声データをパケットデータに変換するパケット・アセンブラ手段と、
前記パケット・アセンブラ手段によりパケット化された音声データをネットワーク上に送信する送信手段と、
前記送信手段から送信されて、前記ネットワーク上を伝送されてくるパケット化された音声データを受信する受信手段と、
前記受信手段で受信されたパケット化された音声データを符号化されたデジタル音声データ列に変換するパケット・デ・アセンブラ手段と、
前記パケット・デ・アセンブラ手段からの前記符号化されたデジタル音声データ列を一時的に記憶する記憶手段と、
前記記憶手段に記憶されている前記符号化されたデジタル音声データ列のデータ量を検知するデータ量検知手段と、
前記データ量検知手段で検知された前記データ量と、予め設定された閾値データ量とを比較し、その比較結果に応じた制御信号を出力するデータ制御手段と、
前記データ制御手段からの前記制御信号により、前記データ量検知手段で検知された前記データ量が前記閾値データ量よりも大きいときには、前記記憶手段からの前記音声データを順次に出力データとし、前記データ量検知手段で検知された前記データ量が前記閾値データ量以下となったときには、前記記憶手段からの前記音声データ中に、前記記憶手段から読み出された音声データを用いて生成した符号化された音声データを挿入して、出力データとするデータ補償手段と、
前記データ補償手段からの出力音声データを復号化する音声復号化手段と、
を備えることを特徴とする音声伝送装置。
【請求項３】
前記データ制御手段で比較する前記閾値データ量は、パラメータ記憶手段に記憶される可変の値であることを特徴とする請求項１または請求項２に記載の音声伝送装置。
【請求項４】
前記記憶手段から読み出された音声データを用いて生成した前記音声データの、前記記憶手段からの前記音声データ中に挿入する頻度を定めるための情報を、前記パラメータ記憶手段に記憶することを特徴とする請求項３に記載の音声伝送装置。
【請求項５】
前記パラメータ記憶手段を複数個、備えることを特徴とする請求項３または請求項４に記載の音声伝送装置。
【請求項６】
前記データ制御手段は、前記記憶手段に記憶されている符号化された音声データ量が、予め設定した前記閾値データ量とは異なる第２の閾値データ量以上になると、前記記憶手段にデータ読み出し信号を出力して、このデータ読み出し信号により前記記憶手段に記憶されている符号化された音声データの読み出しを行うようにするが、前記音声復号化手段はこの音声データを読み込まないように制御することを特徴とする請求項１に記載の音声伝送装置。
【請求項７】
請求項６に記載の音声伝送装置において、
前記データ制御手段で、前記記憶手段に記憶されている符号化された音声データ量と比較する前記第２の閾値データ量は、パラメータ記憶手段に記憶される可変の値であることを特徴とする音声伝送装置。
【請求項８】
ネットワーク上を伝送されてくるパケット化された音声データを受信する受信工程と、
前記受信工程で受信されたパケット化された音声データを、符号化されたデジタル音声データ列に変換するパケット・デ・アセンブラ工程と、
前記パケット・デ・アセンブラ工程で前記符号化されたデジタル音声データ列を一時的に記憶部に記憶する記憶工程と、
前記記憶部に記憶されている前記符号化されたデジタル音声データ列のデータ量を検知するデータ量検知工程と、
前記データ量検知工程で検知された前記データ量と、予め設定された閾値データ量とを比較し、前記データ量検知工程で検知された前記データ量が前記閾値データ量よりも大きいときには、前記記憶部からの前記音声データを順次に出力音声データとし、前記データ量検知工程で検知された前記データ量が前記閾値データ量以下となったときには、前記記憶部からの前記音声データ中に、前記記憶部から読み出された音声データを用いて生成した符号化された音声データを挿入して、出力音声データとするデータ補償工程と、
前記データ補償工程で得られた前記出力音声データを復号化する音声復号化工程と、
を備えることを特徴とする音声伝送方法。
【請求項９】
アナログ音声信号をデジタル音声データ系列に変換する音声符号化工程と、
前記音声符号化工程で符号化された音声データをパケットデータに変換するパケット・アセンブラ工程と、
前記パケット・アセンブラ工程でパケット化された音声データをネットワーク上に送信する送信工程と、
前記送信工程で送信されて、前記ネットワーク上を伝送されてくるパケット化された音声データを受信する受信工程と、
前記受信工程で受信されたパケット化された音声データを符号化されたデジタル音声データ列に変換するパケット・デ・アセンブラ工程と、
前記パケット・デ・アセンブラ工程で前記符号化されたデジタル音声データ列を一時的に記憶部に記憶する記憶工程と、
前記記憶部に記憶されている前記符号化されたデジタル音声データ列のデータ量を検知するデータ量検知工程と、
前記データ量検知工程で検知された前記データ量と、予め設定された閾値データ量とを比較し、前記データ量検知工程で検知された前記データ量が前記閾値データ量よりも大きいときには、前記記憶部からの前記音声データを順次に出力音声データとし、前記データ量検知工程で検知された前記データ量が前記閾値データ量以下となったときには、前記記憶部からの前記音声データ中に、前記記憶部から読み出された音声データを用いて生成した符号化された音声データを挿入して、出力音声データとするデータ補償工程と、
前記データ補償工程で得られた前記出力音声データを復号化する音声復号化工程と、
を備えることを特徴とする音声伝送方法。
【手続補正３】
【補正対象書類名】明細書
【補正対象項目名】０００１
【補正方法】変更
【補正の内容】
【０００１】
【発明の属する技術分野】
この発明は、例えば、データの衝突あるいは再送により、データ受信までの時間が変動するネットワークに接続される場合に適用して好適な音声伝送装置および音声伝送方法に関する。


【手続補正４】
【補正対象書類名】明細書
【補正対象項目名】００２６
【補正方法】変更
【補正の内容】
【００２６】
【発明の実施の形態】
以下、この発明による音声伝送装置および音声伝送方法の実施の形態を、図を参照しながら説明する。


【手続補正５】
【補正対象書類名】明細書
【補正対象項目名】０１２４
【補正方法】変更
【補正の内容】
【０１２４】
【発明の効果】
以上説明したように、この発明によれば、音声伝送において、パケット伝送路での遅延変動が生じても、音声波形的に不連続点が発生するのを減らすことができ、不快な雑音の少なくすることができる。